(57)【要約】【課題】検版対象となる画像の形式に多少の差異がある場合にも検版を実行することのできる技術を提供する。【解決手段】同一の印刷物を作成するための２つの印刷物画像データＲＩＰＤ２，ＲＩＰＤ３を、検版の対象とする。これらの２つの印刷物画像データＲＩＰＤ２，ＲＩＰＤ３のうちの少なくとも一方は２値画像データであり、かつ、画素値の階調数と網点種類とのうちの少なくとも一方が互いに異なっている。このとき、２つの印刷物画像データのうち２値画像データＲＩＰＤ３であるものに対してデスクリーニング処理を行うことによって多階調化し、２つの印刷物画像データに対応する２つの多階調画像データＭＤ２，ＭＤ３を生成する。そして、これらの２つの多階調画像データＭＤ２，ＭＤ３を比較することによって、検版対象とした２つの印刷物画像データの差異を検出する。【選択図】  図３
2004152111.tif 000002
【特許請求の範囲】
【請求項１】
印刷物画像を処理するための複数の処理工程によって順次処理されてゆく印刷物画像を検査するための検版方法であって、
（ａ）同一の印刷物を作成するための２つの印刷物画像データであって、少なくとも一方が２値画像データであり、かつ、画素値の階調数と網点種類とのうちの少なくとも一方が互いに異なる第１と第２の印刷物画像データを準備する工程と、
（ｂ）前記第１と第２の印刷物画像データのうち２値画像データであるものに対してデスクリーニング処理を行うことによって、前記第１と第２の印刷物画像データに対応する第１と第２の多階調画像データを生成する工程と、
（ｃ）前記第１と第２の多階調画像データを比較することによって、前記第１と第２の印刷物画像データの差異を検出する工程と、
を備えることを特徴とする検版方法。
【請求項２】
請求項１記載の検版方法であって、
前記第１の印刷物画像データが多階調画像データであり、前記第２の印刷物画像データが２値画像データであるときに、
前記工程（ｂ）は、
前記第１の印刷物画像データに対して鮮鋭度低下処理を行うことによって前記第１の多階調画像データを生成する工程と、
前記第２の印刷物画像データに対してデスクリーニング処理を行うことによって、前記第２の多階調画像データを生成する工程と、
を含む、検版方法。
【請求項３】
請求項１または２記載の検版方法であって、
前記デスクリーニング処理は、
処理対象の印刷物画像の領域を、網掛け処理されない部品を含む網掛非対象領域と、網掛け処理される部品を含む網掛け対象領域とに区分する工程と、
前記網掛け対象領域に対してのみ選択的にデスクリーニングを実行する工程と、
を含む、検版方法。
【請求項４】
請求項３記載の検版方法であって、
前記工程（ｂ）は、前記第１と第２の多階調画像データの解像度を一致させるための解像度変換工程を含み、
前記解像度変換工程において、前記網掛け非対象領域に関しては代表画素を用いた解像度低下処理を実行し、前記網掛け領域に関しては平均化による解像度低下処理を実行する、検版方法。
【請求項５】
印刷物画像を処理するための複数の処理工程によって順次処理されてゆく印刷物画像を検査するための検版を実行可能な印刷製版システムであって、
同一の印刷物を作成するための２つの印刷物画像データであって、少なくとも一方が２値画像データであり、かつ、画素値の階調数と網点種類とのうちの少なくとも一方が互いに異なる第１と第２の印刷物画像データのうち、２値画像データであるものに対してデスクリーニング処理を行うことによって、前記第１と第２の印刷物画像データに対応する第１と第２の多階調画像データを生成するデスクリーニング処理部と、
前記第１と第２の多階調画像データを比較することによって、前記第１と第２の印刷物画像データの差異を検出する比較部と、
を備えることを特徴とする印刷製版システム。
【請求項６】
請求項５記載の印刷製版システムであって、さらに、
前記第１の印刷物画像データが多階調画像データであり、前記第２の印刷物画像データが２値画像データであるときに、前記第１の印刷物画像データに対して鮮鋭度低下処理を行うことによって前記第１の多階調画像データを生成する鮮鋭度調整部を備え、
前記デスクリーニング処理部は、前記第２の印刷物画像データに対してデスクリーニング処理を行うことによって、前記第２の多階調画像データを生成する、印刷製版システム。
【請求項７】
請求項５または６記載の印刷製版システムであって、
前記デスクリーニング処理部は、処理対象の印刷物画像の領域を、網掛け処理されない部品を含む網掛非対象領域と、網掛け処理される部品を含む網掛け対象領域とに区分し、前記網掛け対象領域に対してのみ選択的にデスクリーニングを実行する、印刷製版システム。
【請求項８】
請求項７記載の印刷製版システムであって、さらに、
前記第１と第２の多階調画像データの解像度を一致させるための解像度変換部を含み、
前記解像度変換部は、前記網掛け非対象領域に関しては代表画素を用いた解像度低下処理を実行し、前記網掛け領域に関しては平均化による解像度低下処理を実行する、印刷製版システム。
【請求項９】
印刷物画像を処理するための複数の処理工程によって順次処理されてゆく印刷物画像を検査するための検版を実行するためのコンピュータプログラムであって、
同一の印刷物を作成するための２つの印刷物画像データであって、少なくとも一方が２値画像データであり、かつ、画素値の階調数と網点種類とのうちの少なくとも一方が互いに異なる第１と第２の印刷物画像データのうち、２値画像データであるものに対してデスクリーニング処理を行うことによって、前記第１と第２の印刷物画像データに対応する第１と第２の多階調画像データを生成するデスクリーニング処理機能と、
前記第１と第２の多階調画像データを比較することによって、前記第１と第２の印刷物画像データの差異を検出する比較機能と、
をコンピュータに実現させるコンピュータプログラム。
【発明の詳細な説明】
【０００１】
【発明の属する技術分野】
この発明は、複数の処理工程によって順次処理されてゆく印刷物画像を検査する技術に関する。
【０００２】
【従来の技術】
コンピュータ技術の進展に伴って、商業印刷用の製版システムにおいてもコンピュータを用いたデジタル化が普及してきている。デジタル化された印刷製版システムでは、印刷物データ（例えばＰＤＦデータやＰｏｓｔＳｃｒｉｐｔデータ。ＰｏｓｔＳｃｒｉｐｔはアドビシステムズ社の商標）を受け取り、この印刷物データに種々のデータ処理を行って２値の刷版データを作成し、この刷版データを用いて刷版または網フィルムが出力される。さらに最近では、印刷製版システムで２値の印刷物データを作成し、この２値印刷物データをオンデマンド印刷機に転送して直接印刷を実行させるオンデマンド印刷も行われている。本明細書では、このような２値刷版データや２値印刷物データを作成する処理の全体を「印刷製版」と呼んでいる。
【０００３】
印刷製版工程においては、クライアントの指示通りに印刷物画像を修正することが重要である。そのため、印刷物の校正と、校正結果が正しく反映されているか否かをチェックする検版とが念入りに行われる。デジタル化された印刷製版システムでは、校正前後の２値の刷版データを比較することによって検版が行われている（例えば、特許文献１参照）。
【０００４】
【特許文献１】
特開平１０−１５４２３４号公報
【０００５】
【発明が解決しようとする課題】
従来の検版処理では、校正前後の刷版データを比較していたので、初校を出力するための処理の段階では検版を行うことが不可能であった。そこで、従来から、初校の出力のための処理の段階においても検版を行うことができる技術が望まれていた。
【０００６】
また、従来は、校正によって網点の種類が変更されたときにも、うまく検版を行うことができなかった。この理由は、網点の種類が変わると同一の画像でも画素値の配置がかなり大幅に異なるからである。なお、本明細書において「網点」とは、いわゆるＡＭ網点とＦＭ網点の両方を含んでいる。
【０００７】
このように、従来は検版対象となる画像の形式に多少の差異がある場合には、検版をうまく実行することができないという問題があった。
【０００８】
本発明は、上述した従来の課題を解決するためのものであり、検版対象となる画像の形式に多少の差異がある場合にも検版を実行することのできる技術を提供することを目的とする。
【０００９】
【課題を解決するための手段およびその作用・効果】
上記目的を達成するために、本発明による検版方法は、印刷物画像を処理するための複数の処理工程によって順次処理されてゆく印刷物画像を検査するための検版方法であって、
（ａ）同一の印刷物を作成するための２つの印刷物画像データであって、少なくとも一方が２値画像データであり、かつ、画素値の階調数と網点種類とのうちの少なくとも一方が互いに異なる第１と第２の印刷物画像データを準備する工程と、
（ｂ）前記第１と第２の印刷物画像データのうち２値画像データであるものに対してデスクリーニング処理を行うことによって、前記第１と第２の印刷物画像データに対応する第１と第２の多階調画像データを生成する工程と、
（ｃ）前記第１と第２の多階調画像データを比較することによって、前記第１と第２の印刷物画像データの差異を検出する工程と、
を備えることを特徴とする。
【００１０】
この検版方法では、２値画像データであるものに対してデスクリーニング処理を行うので、２つの印刷物画像データのいずれかが２値画像データである場合にも、画素値の階調数や網点種類の違いにあまり影響されずに２つの印刷物画像データを比較することが可能である。従って、例えば異なる２つの工程で作成された２つの印刷物画像データを用いて検版を行うことが可能である。また、網点種類が異なる２つの印刷物画像データを用いて検版を行うことも可能である。
【００１１】
前記第１の印刷物画像データが多階調画像データであり、前記第２の印刷物画像データが２値画像データであるときに、
前記工程（ｂ）は、
前記第１の印刷物画像データに対して鮮鋭度低下処理を行うことによって前記第１の多階調画像データを生成する工程と、
前記第２の印刷物画像データに対してデスクリーニング処理を行うことによって、前記第２の多階調画像データを生成する工程と、
を含むようにしてもよい。
【００１２】
この構成によれば、２値画像を多値化する際には、デスクリーニング処理によって鮮鋭度が低下する傾向にある。従って、もともと多階調画像データであった第１の印刷物画像データに対して鮮鋭度低下処理を行うようにすれば、鮮鋭度が同じ程度に低下した多階調画像データ同士を比較することができるので、検版をより精度良く行うことが可能である。
【００１３】
なお、前記デスクリーニング処理は、
処理対象の印刷物画像の領域を、網掛け処理されない部品を含む網掛非対象領域と、網掛け処理される部品を含む網掛け対象領域とに区分する工程と、
前記網掛け対象領域に対してのみ選択的にデスクリーニングを実行する工程と、
を含むようにしてもよい。
【００１４】
この構成によれば、網掛け対象領域のみに対して選択的にデスクリーニングを実行するので、文字や罫線のように網掛け処理されない部品のエッジをぼけさせずにシャープに保つことができる。従って、検版をより精度良く行うことが可能である。
【００１５】
なお、前記工程（ｂ）は、前記第１と第２の多階調画像データの解像度を一致させるための解像度変換工程を含み、
前記解像度変換工程において、前記網掛け非対象領域に関しては代表画素を用いた解像度低下処理を実行し、前記網掛け領域に関しては平均化による解像度低下処理を実行するものとしてもよい。
【００１６】
この構成では、網明け非対象領域に対してはエッジをシャープに保つことができるので、検版をより精度良く行うことが可能である。
【００１７】
なお、本発明は、種々の形態で実現することが可能であり、例えば、検版システムや印刷製版システム、これらのシステムにおける検版方法、それらのシステム（装置）の各部の機能や方法の各工程の機能を実現するためのコンピュータプログラム、そのコンピュータプログラムを記録した記録媒体、そのコンピュータプログラムを含み搬送波内に具現化されたデータ信号、等の形態で実現することができる。
【００１８】
【発明の実施の形態】
次に、本発明の実施の形態を実施例に基づいて以下の順序で説明する。
Ａ．装置の全体構成：
Ｂ．第１実施例：
Ｃ．第２実施例：
Ｄ．第３実施例：
Ｅ．変形例：
【００１９】
Ａ．装置の全体構成：
図１は、本発明の一実施例である印刷製版システムの全体構成を示す説明図である。この印刷製版システムは、印刷物をデザインして印刷物データを作成するためのデザイン装置１００と、この印刷物データに基づいて刷版または印刷物を作成するためのワークフローシステム２００とを備えている。ワークフローシステム２００は、ワークフロー制御システム３００と、３つの出力機４１０、４２０、４３０とがネットワークを介して接続されることによって構成されている。すなわち、簡易プルーフ出力機４１０は、印刷物データから得られるデジタルデータに応じて校正刷りを印刷し、網点プルーフ出力機４２０は、網点処理（網掛け処理）を行った印刷物データ（デジタルデータ）の校正刷りを出力し、プレート出力機４３０は、印刷物データから刷版を直接作成する。なお、プレート出力機４３０は、ＣＴＰ（Ｃｏｍｐｕｔｅｒ  Ｔｏ  Ｐｌａｔｅ）装置とも呼ばれている。また、ワークフロー制御システム３００には、ＣＲＴディスプレイ、ＬＣＤディスプレイ等の表示部４００が接続されており、印刷物データに応じた印刷物画像や、検版結果等を表示することができる。
【００２０】
図２は、ワークフロー制御システム３００の機能的構成を示すブロック図である。ワークフロー制御システム３００は、デザイン装置１００から受け取った特定形式の印刷物データ（ＰＤＦデータやＰｏｓｔＳｃｒｉｐｔデータ）を処理するために以下のような処理部の機能を有している。
【００２１】
（１）プリフライト処理部３１０：
プリフライト処理は、いわゆる前処理であり、印刷物データの内容を解析して、製版用の処理を問題無く実行できるか否かを確認するための処理である。例えば、ＰＤＦファイルやＰｏｓｔＳｃｒｉｐｔファイルの記述から、（ｉ）文書内にリンクが張られているオブジェクトのファイルの有無、（ｉｉ）標準的でないフォントデータの文書内への埋め込みの有無、などが確認される。不足しているデータやファイルがある場合には、データの追加や仕様の変更をユーザに要求する。また、印刷物データは、プリフライト処理部３１０によって表示用解像度（例えば７２ｄｐｉ）でＲＩＰ展開され、展開された展開データ（「プレビュー用ＲＩＰ展開データ」とも呼ぶ）に従って印刷物画像が表示部４００（図１）に表示される。ユーザは、表示部４００に表示された印刷物画像を用いて、適切な印刷物データであるか否かの確認を行うことができる。
【００２２】
（２）台割面付け処理部３２０：
いわゆる台割処理や面付け処理（１枚の刷版に複数のページを配置する処理）を行う。また、処理が行われたデータを簡易プルーフ用ＲＩＰ展開データに展開し、このデータに応じた校正刷りを簡易プルーフ出力機４１０（図１）に出力させる機能も有している。ユーザは、出力された校正刷りを確認することによって、校正を行うことができる。大きさが異なる複数種類の出力を行う場合には、それぞれの大きさに応じた台割処理や面付け処理が行われる。例えば、簡易プルーフ出力の大きさと、プレート出力の大きさとが異なる場合には、それぞれの出力用の台割処理や面付け処理が行われる。
【００２３】
（３）自動製版処理部３３０：
いわゆる、スミノセや、白フチ、トラッピングなどの処理を行う。
【００２４】
（４）網点プルーフ処理部３４０：
いわゆる、ＲＩＰ展開処理（Ｒａｓｔｅｒ  Ｉｍａｇｅ  Ｐｒｏｃｅｓｓｉｎｇ）や網点処理（網掛け処理）を行い、各インク色（例えば、ＹＭＣＫの４色）の刷版を表すラスタデータ（「網点プルーフ用ＲＩＰ展開データ」とも呼ぶ）を出力用解像度（例えば、４０００ｄｐｉ）に合わせて作成する。網点プルーフ用ＲＩＰ展開データに応じた校正刷りは、網点プルーフ出力機４２０（図１）より出力される。ユーザは、出力された校正刷りを確認することによって、校正を行うことができる。
【００２５】
（５）最終出力処理部３５０：
最終的な印刷物データをＲＩＰ展開することによって、プレート出力機４３０に適した出力データ（「本出力用ＲＩＰ展開データ」と呼ぶ）を作成する。作成された出力データはプレート出力機４３０に転送され、出力データに応じた刷版がプレート出力機４３０によって作成される。
【００２６】
（６）検版実行部３６０：
異なる工程で作成された印刷物データまたはＲＩＰ展開データを用いた検版を行う。検版処理の詳細については後述する。
【００２７】
（７）画像データ記憶部３７０：
検版用のデータ（「検版用データ」あるいは「検版用画像データ」とも呼ぶ）を必要に応じて記憶する。
【００２８】
ワークフロー制御システム３００は、さらに、これらの各処理部３１０〜３７０の動作を制御するための制御部３９０を備えている。制御部３９０は、パラメータ決定部３９２を備えており、ユーザは、パラメータ決定部３９２を介して、各処理部３１０〜３７０の制御パラメータを設定することができる。１つの製版作業（「ジョブ」と呼ぶ。）に対する各種の制御パラメータは、ジョブチケットＪＴと呼ばれるデータファイルにまとめられる。すなわち、各処理部３１０〜３７０が１つのジョブを実行する際には、ジョブチケットＪＴ内の制御パラメータに従って各処理部の処理内容が制御される。
【００２９】
なお、ワークフロー制御システム３００の各処理部３１０〜３７０や制御部３９０の機能は、ワークフロー制御システム３００の図示しないハードディスクに格納されたコンピュータプログラムをコンピュータ（ワークフロー制御システム３００）が実行することによって実現される。
【００３０】
Ｂ．第１実施例：
図３は、第１実施例の印刷製版工程における検版方法を示す説明図である。この例では、図２に示す各処理部３１０〜３５０が、元の印刷物データＰＤ０に対して、プリフライト処理（ステップＳ１１）と、台割面付け処理（ステップＳ１２）と、自動製版処理（ステップＳ１３）と、網点プルーフ出力処理（ステップＳ１４）と、最終出力処理（ステップＳ１５）とを順次実行する。最初の３つの工程Ｓ１１〜Ｓ１３では、元の印刷物画像データＰＤ０に順次変更が加えられて、処理済みの印刷物データＰＤ１，ＰＤ２，ＰＤ３がそれぞれ作成される。これらの印刷物データＰＤ０〜ＰＤ３は、通常は、文字（テキスト）と図形（ベクトル図形）とビットマップ画像とがそれぞれ異なる種類の部品として表現されているデータである。このような印刷物データの形式としては、ＰｏｓｔＳｃｒｉｐｔ、ＥＰＳ（Ｅｎｃａｐｓｕｌａｔｅｄ  ＰｏｓｔＳｃｒｉｐｔ）（いずれもアドビシステム社の商標）、ＰＤＦなどのページ記述言語形式のデータを利用可能である。網点プルーフ出力工程Ｓ１４では、印刷物データＰＤ３から網点プルーフ用ＲＩＰ展開データＲＩＰＤ３が作成されるだけであり、印刷物データＰＤ３には変更は加えられずに最終出力工程Ｓ１５に引き渡される。最終出力工程Ｓ１５では、この印刷物データＰＤ３から最終的なＲＩＰ展開データＲＩＰＤ４（２値刷版データまたは２値印刷物データ）が作成される。
【００３１】
プリフライト処理部３１０は、プリフライト処理の後に、プリフライト処理済みの印刷物データＰＤ１をＲＩＰ展開することによってプレビュー用ＲＩＰ展開データＲＩＰＤ１を作成し、このデータＲＩＰＤ１に基づいて印刷物画像を表示部４００に表示する（ステップＳ２１）。また、台割面付け処理部３２０は、台割面付け処理済みの印刷物データＰＤ２をＲＩＰ展開することによって簡易プルーフ用ＲＩＰ展開データＲＩＰＤ２を作成し、このデータＲＩＰＤ２に基づいて簡易プルーフを出力する（ステップＳ２２）。前述したように、網点プルーフ出力工程では印刷物データＰＤ３から網点プルーフ用ＲＩＰ展開データＲＩＰＤ３が作成され、最終出力工程（ステップＳ１４）では本出力用ＲＩＰ展開データＲＩＰＤ４が作成される。これらのＲＩＰ展開データＲＩＰＤ１〜ＲＩＰＤ４は、画像データ記憶部３７０（図２）に格納される。
【００３２】
プレビュー用ＲＩＰ展開データＲＩＰＤ１は、例えば、ＲＧＢ表色系で表された多値画像データであり、表示部４００における表示に適した形式を有したデータである。また、他のＲＩＰ展開データＲＩＰＤ２〜ＲＩＰＤ４も、それぞれの画像出力装置に適した形式を有している。これに対して、ＲＩＰ展開前の印刷物データＰＤ１〜ＰＤ３は、上述したように、文字と図形とビットマップ画像とが異なる部品として表現されているデータである点でＲＩＰ展開画像と異なっている。本明細書では、ＲＩＰ展開される前の印刷物データＰＤ０〜ＰＤ３を、「未展開データ」とも呼ぶ。
【００３３】
なお、本明細書において、「ＲＩＰ展開データ」とはラスタイメージデータ（走査線順次に表現されているデータ）を意味している。このようなＲＩＰ展開データは、種々の形式で表現することが可能である。本実施例において、ＲＩＰ展開データの表現形式（「ＲＩＰ展開条件」と呼ぶ）は、以下のようなパラメータＰ１〜Ｐ５によって規定される。
（Ｐ１）解像度：解像度は画素ピッチを規定するものを意味している。解像度の値としては、７２ｄｐｉ（表示用）、２０００ｄｐｉ、４０００ｄｐｉなどの種々の解像度を利用可能である。
（Ｐ２）階調数：１画素当たりの画素値の取りうる値であり、１画素当たりのビット数によって決まる値である。階調数としては、２値（０，１の２階調）や多値（例えば０〜２５５の２５６階調）を利用可能である。
（Ｐ３）表色系：ＲＧＢ表色系、ＹＭＣＫ表色系、ＹＣＣ表色系などの種々の表色系を利用可能である。
（Ｐ４）トーン再現：いわゆるドットゲイン特性を意味しており、種々のドットゲイン特性を利用可能である。
（Ｐ５）圧縮方法：所望の圧縮アルゴリズムと圧縮率を利用可能である。圧縮方法は、画質を表す指標としても使用できる。
【００３４】
これらの種々のパラメータをＲＩＰ展開条件として設定し、これに応じて未展開データを展開することによって、種々のＲＩＰ展開データを得ることができる。例えば、図３に示した４種類のＲＩＰ展開データＲＩＰＤ１〜ＲＩＰＤ４に対しては、それぞれ以下のようなパラメータＰ１〜Ｐ５が設定される。
【００３５】
・プレビュー用ＲＩＰ展開データＲＩＰＤ１：
（Ｐ１）解像度＝７２ｄｐｉ
（Ｐ２）階調数＝８ビット／１色／１画素
（Ｐ３）表色系＝ＲＧＢ
（Ｐ４）トーン再現：ドットゲイン無し
（Ｐ５）圧縮方法：圧縮なし
【００３６】
・簡易プルーフ用ＲＩＰ展開データＲＩＰＤ２：
（Ｐ１）解像度＝６００ｄｐｉ
（Ｐ２）階調数＝８ビット／１色／１画素
（Ｐ３）表色系＝ＹＭＣＫ
（Ｐ４）トーン再現：ドットゲイン無し
（Ｐ５）圧縮方法：ＪＰＥＧ方式
【００３７】
・網点プルーフ用ＲＩＰ展開データＲＩＰＤ３：
（Ｐ１）解像度＝２４００ｄｐｉ
（Ｐ２）階調数＝１ビット／１色／１画素
（Ｐ３）表色系＝ＹＭＣＫ
（Ｐ４）トーン再現：網点プルーフ用ドットゲイン特性
（Ｐ５）圧縮方法：１ビットＴＩＦＦ方式
【００３８】
・本出力用ＲＩＰ展開データＲＩＰＤ４：
（Ｐ１）解像度＝４０００ｄｐｉ
（Ｐ２）階調数＝１ビット／１色／１画素
（Ｐ３）表色系＝ＹＭＣＫ
（Ｐ４）トーン再現：本出力用ドットゲイン特性
（Ｐ５）圧縮方法：１ビットＴＩＦＦ方式
【００３９】
第１実施例の検版実行部３６０は、デスクリーニング処理部３６２と、解像度変換部３６４と、比較部３６６とを含んでおり、異なる工程において作成された２つのデータを用いて検版を実行することが可能である。図３の例では、検版実行部３６０は、網点プルーフ用ＲＩＰ展開データＲＩＰＤ３にデスクリーニング処理と解像度変換処理とを施すことによって、検版用の多階調画像データＭＤ３を作成する。この検版用多階調画像データＭＤ３は、簡易プルーフ用ＲＩＰ展開データＲＩＰＤ２と解像度が等しく、また、階調数と表色系も同じである。なお、簡易プルーフ用ＲＩＰ展開データＲＩＰＤ２もこの検版処理に利用されるので、これを「検版用多階調画像データＭＤ２」とも呼ぶ。
【００４０】
比較部３６６は、これらの検版用多階調画像データＭＤ２，ＭＤ３を比較することによって検版結果データを作成して出力する。具体的には、例えば、比較部３６６は、２つの検版用多階調画像データＭＤ２，ＭＤ３の画素値の差分を画素毎に求め、各画素の差分で構成された画像データを検版結果データとして作成する。検版結果データは、表示部４００に表示してもよく、あるいは、プリントアウトしても良い。
【００４１】
図４は、検版結果データに基づいて表示部４００に表示された検版結果の一例を示す説明図である。図４（Ａ）は、２つの検版用多階調画像データに差異のない場合を示している。この画像は、円形の２つの部品ＯＢ１，ＯＢ２と、文字（テキスト）の部品ＯＢ３とを含んでいる。２つの検版用多階調画像データに差異のない場合には、各部品ＯＢ１，ＯＢ２，ＯＢ３は薄い目立たない色でそれぞれ表示されている。図４（Ｂ）は、２つの検版用多階調画像データに差異がある場合を示している。すなわち、円形の２つの部品ＯＢ１，ＯＢ２の上部において、２つの検版用多階調画像データに大きな差異があり、この部分が目立つ色で表示されている。この結果、検版作業者は、この検版結果を観察することによって、印刷物が正しいか否かを判断することが可能である。
【００４２】
なお、一般に、検版結果においては、２つの検版用多階調画像データの画素値の差分が所定の閾値以上の画素を目立たない表示態様で表示し、一方、画素値の差分が閾値よりも小さな画素を目立つ表示態様で表示するようにすることが好ましい。このような表示態様の違いとしては、色や点滅の有無などを利用することができる。閾値としては、任意の値を採用することが可能である。例えば、画素値の差分が０でなければ差異があるものとして目立つ表示を行うようにしてもよい。
【００４３】
図５は、第１実施例における検版処理の手順を示すフローチャートである。ステップＳ１では、作業者が検版対象とする２つの印刷物データを指定する。図６は、検版対象の印刷物データを指定するためのユーザインターフェース画面の一例を示している。ここでは、網点プルーフ用ＲＩＰ展開データＲＩＰＤ３に対して検版を実行することと仮定している。このユーザインターフェース画面には、ジョブ名を指定するためのフィールドＦ１と、網点プルーフデータのファイル名を指定するためのフィールドＦ２と、検版時に比較対象となるデータのファイル名を指定するためのフィールドＦ３とを含んでいる。作業者が、検版対象となる２つの印刷物データのファイル名をフィールドＦ２，Ｆ３に指定すると、これらの２つの印刷物データの解像度と階調数と表色系とがそれぞれ表示される。この例では、網点プルーフデータＲＩＰＤ３（網点プルーフ用ＲＩＰ展開データ）は、解像度が２４００ｄｐｉ、階調数が１ビット／色／画素、表色系がＹＭＣＫであることが表示されている。また、比較データとしては、台割面付け処理工程で作成された簡易プルーフ用ＲＩＰ展開データＲＩＰＤ２が指定されており、その解像度が６００ｄｐｉ、階調数が８ビット／色／画素、表色系がＹＭＣＫであることが表示されている。なお、解像度と階調数と表色系以外のパラメータも表示されるようにしてもよい。作業者がこれらの表示内容を確認し、「検版実行」のボタンＢ１をクリックすると、これらの２つの印刷物データを用いて検版処理が開始される。
【００４４】
ステップＳ２（図５）では、デスクリーニング処理部３６２が、検版対象として指定された２つの印刷物データの少なくとも一方が２値画像データであるか否かを判断する。図６の例では、網点プルーフデータＲＩＰＤ３の階調数が１ビットであり、２値画像データである。２値画像データに対してはステップＳ３，Ｓ４の処理が実行され、多階調画像データに対してはステップＳ３，Ｓ４は省略される。
【００４５】
ステップＳ３では、デスクリーニング処理部３６２がデスクリーニング処理を実行する。ここで、「デスクリーニング処理」とは、２値画像の多値化処理を意味している。図７は、デスクリーニング処理の手順を示すフローチャートである。デスクリーニング処理では、まず、２値画像の解像度ＲＢと、網点サイズＤＳとから、デスクリーニング処理に用いるマスクのサイズＭＳを算出する（ステップＴ１）。図８は、マスクサイズＭＳの決定方法を示している。図８（Ａ）の小さな四角は画素ＰＸＨである。デスクリーニング用マスクＤＳＭのサイズＭＳは、マスクＤＳＭの一辺の画素数である。このマスクサイズＭＳは、例えば以下の（１ａ）式または（１ｂ）式で算出される。
【００４６】
ＭＳ＝Ｉｎｔ｛ＲＢ［ｄｐｉ］／ＤＳ［ｌｐｉ］｝    …（１ａ）
ＭＳ＝Ｏｄｄ｛ＲＢ［ｄｐｉ］／ＤＳ［ｌｐｉ］｝    …（１ｂ）
【００４７】
ここで、ＲＢは２値画像の解像度であり、その単位は［ｄｐｉ］である。また、ＤＳは２値画像を網掛け処理した際に用いられた網点ピッチ（「スクリーン線数」とも呼ばれる）であり、単位は［ｌｐｉ］（線／インチ）である。（１ａ）式の演算子Ｉｎｔ｛  ｝は、括弧内の値を整数化する処理を意味している。また、（１ｂ）式の演算子Ｏｄｄ｛  ｝は、括弧内の値を整数化し、さらに、その整数値以上の最も小さな奇数を取る処理を意味している。例えば、ＲＢ＝２４００ｄｐｉ，ＤＳ＝１５０線／インチの場合には、（１ａ）式によって得られるマスクサイズＭＳは１６［画素］であり、（１ｂ）式によって得られるマスクサイズＭＳは１７［画素］である。なお、（１ｂ）式を用いると、マスクサイズＭＳが常に奇数になるので、中心画素（図８（Ａ）の中央にある斜線を伏した画素）を中心として、四方に同数の画素が存在するようなマスクＤＳＭを使用することができるため、より好ましい。
【００４８】
図７のステップＴ２では、このマスクサイズＭＳを一辺とするデスクリーニング用マスクＤＳＭを用いて２値画像の画素値の加重平均を求め、これによってマスク位置における多値画像の画素値を求める。図８（Ａ）には、このマスクＤＳＭの重み分布の一例が示されている。通常は、このように中心画素の重みが最も大きく、周辺画素の重みが最も小さくなるように設定される。但し、マスクＤＳＭの最外周にある画素の重みは、０よりも大きな値に設定することが好ましい。
【００４９】
なお、ステップＴ２の処理は、図８（Ｂ）に示すように、２値画像の画像領域内でマスクを１画素ずつ順次移動しながら行われる。この結果、元の２値画像と同じ解像度で、各画素のビット数が増加した多値画像を得ることができる。例えば、マスクサイズＭＳが１６画素のマスクを用いると、０〜２５５の階調値を有する８ビットの多値画像を得ることができる。一方、マスクサイズＭＳが１７画素のマスクを用いると、０〜２８８の階調値が得られるが、この場合にも０〜２８８の階調値を０〜２５５に正規化して８ビットの多値画像を得ることができる。
【００５０】
こうして、デスクリーニング処理によって多階調画像データが得られると、図５のステップＳ４において解像度変換部３６４（図３）が解像度変換を実行する。この解像度変換は、２値画像をデスクリーング処理して得られた多階調画像データを、他の検版用多階調画像データＲＩＰＤ２の解像度に一致させるための処理である。例えば、図６の例では、網点プルーフデータＲＩＰＤ３の解像度が２４００ｄｐｉであり、比較データ（簡易プルーフ用ＲＩＰ展開データ）ＲＩＰＤ２の解像度が６００ｄｐｉなので、網点プルーフデータＲＩＰＤ３をデスクリーニング処理して得られた２４００ｄｐｉの多階調画像データの解像度を、６００ｄｐｉに低減する処理が実行される。この解像度変換としては、例えば単純平均化処理を用いることができる。
【００５１】
なお、検版対象となっていた２つの印刷物データの表色系が異なる場合には、解像度変換処理の前または後に表色系の変換を行うことが好ましい。表色系の変換は、ルックアップテーブルや変換マトリクスを用いて行うことが可能である。
【００５２】
こうして、検版対象となる２つの印刷物データＲＩＰＤ２，ＲＩＰＤ３のうち、２値画像データであるデータＲＩＰＤ３を多値化することによって、解像度と階調数と表色系とが同一の２つの検版用多階調画像データＭＤ２（＝ＲＩＰＤ２），ＭＤ３を得ることができる（図３）。比較部３６６は、これらの２つの検版用多階調画像データＭＤ２，ＭＤ３を画素毎に比較して、画素値の差分が所定の閾値よりも大きな部分を目立つ色で表示する。この結果、検版作業者は、この検版結果を観察することによって、印刷物が正しいか否かを判断することが可能である。
【００５３】
なお、本実施例では、多階調画像データ同士を比較することによって検版を行っているので、画素値に差異があるか否かを判断するための閾値としては、画素値の範囲（８ビットであれば０〜１００％）のうちのゼロでない最小値よりも大きな値を用いることが好ましい。例えば、閾値を画素値の範囲の５〜１０％程度の値に設定すれば、差異が大きな画素のみを検出して出力することができるので、差異の発見が容易である。
【００５４】
以上のように、第１実施例では、検版対象となる２つの印刷物データＲＩＰＤ２，ＲＩＰＤ３のうちで、２値画像データである印刷物データＲＩＰＤ３にデスクリーニング処理を行うことによって検版用多階調画像データＭＤ３を作成し、これを他方の印刷物データ（多階調画像データ）ＲＩＰＤ２と比較することによって検版を行うようにしたので、異なる工程間の印刷物データＲＩＰＤ２，ＲＩＰＤ３に関して検版を行うことが可能である。このような利点は、特に、図３に示した製版工程Ｓ１１〜Ｓ１５を最初に実行する際に顕著である。すなわち、この製版工程Ｓ１１〜Ｓ１５を最初に実行する際には、網点プルーフ用ＲＩＰ展開データＲＩＰＤ３が初めて作成されるので、このＲＩＰ展開データＲＩＰＤ３に関して検版を実行しようとしても、その校正前の網点プルーフ用ＲＩＰ展開データが存在しないために検版ができないのが普通である。これに対して、第１実施例では、異なる工程で得られた印刷物データＲＩＰＤ２，ＲＩＰＤ３から２つの検版用多階調画像データＭＤ２，ＭＤ３を得ているので、製版工程Ｓ１１〜Ｓ１５を最初に実行する際にも、検版を実行できるという利点がある。
【００５５】
Ｃ．第２実施例：
一般に、デスクリーニング処理は、画素値の重み付き平均を取る演算を利用しているので、画像（特にビットマップ画像）の鮮鋭度を低下させる可能性がある。一方、もともと多階調画像であった検版対象データ（上記の例では簡易プルーフ用ＲＩＰ展開データＲＩＰＤ２）は、デスクリーニング処理を受けないので、鮮鋭度の低下は無い。そこで、以下に説明する第２実施例では、多階調画像であった検版対象データＲＩＰＤ２の鮮鋭度を低下させることによって、２つの検版用多階調画像データの鮮鋭度が同程度になるように調整している。
【００５６】
図９は、第２実施例における検版実行部３６０ａの構成を示すブロック図である。図３に示した第１実施例の検版実行部３６０との違いは、鮮鋭度調整部３６８が追加されている点だけである。図１０は、第２実施例における検版処理の手順を示すフローチャートである。この手順は、図５に示した第１実施例の手順のステップＳ２とステップＳ５との間に、鮮鋭度調整のステップＳ１０を追加したものである。この鮮鋭度調整は、もともと多値画像であった検版対象データＲＩＰＤ２に対して実行される。
【００５７】
図１１は、鮮鋭度調整の内容を示す説明図である。図１１（Ａ）の左側は、デスクリーング処理で用いられたデスクリーニング用マスクＤＳＭと、解像度変換前の画素ＰＸＨ（「高解像度画素ＰＸＨ」と呼ぶ）を示している。また、図１１（Ａ）の右側は、解像度変換後の画素ＰＸＬ（「低解像度画素ＰＸＬ」と呼ぶ）を示している。この例では、４×４個の高解像度画素ＰＸＨが１個の低解像度画素ＰＸＬに対応している。
【００５８】
図１１（Ｂ）は、デスクリーニング処理の対象となっていない多階調画像データＲＩＰＤ２に対して用いられる鮮鋭度調整用マスクＳＥＭのサイズＳＭＳと重み分布の例を示している。鮮鋭度調整用マスクＳＥＭのサイズＳＭＳは、デスクリーニング用マスクＤＳＭとほぼ同じ大きさに設定されることが好ましい。具体的には、鮮鋭度調整用マスクＳＥＭのサイズＳＭＳは、例えば以下の（２ａ）式または（２ｂ）式で算出される。
【００５９】
ＳＭＳ＝Ｉｎｔ｛ＲＭ［ｄｐｉ］／ＤＳ［ｌｐｉ］｝    …（２ａ）
ＳＭＳ＝Ｏｄｄ｛ＲＭ［ｄｐｉ］／ＤＳ［ｌｐｉ］｝    …（２ｂ）
【００６０】
ここで、ＲＭは低解像度化後の多階調画像の解像度［ｄｐｉ］であり、ＤＳは元の２値画像を網掛け処理した際に用いられた用いられた網点サイズＤＳ［線／インチ］である。この網点サイズＤＳは上述した（１ａ），（１ｂ）式で用いられたものと同じである。例えば、ＲＭ＝６００ｄｐｉ，ＤＳ＝１５０線／インチの場合には、（２ａ）式によって得られるマスクサイズＳＭＳは４［画素］であり、（２ｂ）式によって得られるマスクサイズＭＳは５［画素］である。なお、（２ｂ）式を用いると、マスクサイズＳＭＳが常に奇数になるので、中心画素（図１１（Ｂ）の中央にある斜線を伏した画素）を中心として、四方に同数の画素が存在するようなマスクＳＥＭを使用することができるので、より好ましい。
【００６１】
上述したように、鮮鋭度調整用マスクＳＥＭのサイズＳＭＳは、デスクリーニング処理用マスクＤＳＭのサイズＭＳとほぼ同じに設定されていることが好ましい。ここで、サイズＳＭＳ，ＤＳＭが「ほぼ同じ」という意味は、両者の差が、低解像度画素ＰＸＬの１個分以下であることを意味している。このように、２つのマスクＳＥＭ，ＤＳＭのサイズＭＳ，ＳＭＳをほぼ同じに設定すれば、デスクリーニング処理による鮮鋭度の低下を、もともと多階調画像であった他方の検版対象データＲＩＰＤ２にも反映できる。この結果、鮮鋭度がほぼ同じ程度に低下した２つの検版用多階調画像データＭＤ２，ＭＤ３を用いて検版を実行できるので、検版をより精度良く行うことが可能である。
【００６２】
Ｄ．第３実施例：
２値画像にデスクリーニング処理を行うと、文字や罫線のエッジがぼけてしまうという問題も発生する可能性がある。そこで、第３実施例では、文字や罫線に対してはデスクリーニング処理を行わず、ビットマップ画像やチント領域（一様な色で塗りつぶされた領域）に対してのみデスクリーニング処理を実行する。
【００６３】
図１２は、第３実施例における検版実行部３６０ｂの構成を示すブロック図である。図３に示した第１実施例の検版実行部３６０との違いは、デスクリーニング処理部３６２の前に領域分離部３６１が設けられている点だけである。図１２は、第３実施例における検版処理の手順を示すフローチャートである。この手順は、図５に示した第１実施例の手順のステップＳ２とステップＳ３との間に領域分離のステップＳ２０を追加したものである。この領域分離は、領域分離部３６１（図１２）が、文字／罫線マスクＬＭに基づいて実行する。
【００６４】
図１４は、文字／罫線マスクＬＭの一例を示す説明図である。ここで、検版対象となる画像は、チント領域である２つの部品ＯＢ１，ＯＢ２と、文字（テキスト）の部品ＯＢ３とを含んでいる。文字／罫線マスクＬＭは、文字または罫線を含む領域を覆うように設定されている。このような文字／罫線マスクＬＭは、例えば、デスクリーニング対象となるＲＩＰ展開データＲＩＰＤ３をＲＩＰ展開する前に作成しておくことができる。ＲＩＰ展開前には、各部品が異なるデータ形式で表現されているので、文字／罫線マスクＬＭを容易に作成することができる。なお、文字／罫線マスクＬＭが予め作成されていない場合には、他の方法で文字／罫線マスクＬＭを作成しても良い。例えば、領域分離部３６１が、デスクリーニング対象となるＲＩＰ展開データＲＩＰＤ３のＲＩＰ展開前の未展開データＰＤ３（図３）から文字／罫線マスクＬＭを作成してもよい。
【００６５】
なお、本明細書では、文字／罫線マスクＬＭで表される領域を「網掛け非対象領域」とも呼ぶ。この理由は、文字や罫線は網点パターンを用いた網掛け処理の対象とならないからである。一方、ビットマップ画像やチントの領域は網点パターンを用いた網掛け処理の対象となるので、これらの領領を「網掛け対象領域」とも呼ぶ。
【００６６】
図１３のステップＳ３ａでは、ビットマップ／チント領域に対してデスクリーニング処理を選択的に実行する。図１５は、このデスクリーニング処理（「分離デスクリーニング処理」と呼ぶ）の手順を示すフローチャートである。ステップＴ１におけるマスクサイズＭＳの算出方法は、図７のステップＴ１と同じである。ステップＴ２ａでは、ビットマップ／チント領域に対してデスクリーニング用マスクＤＳＭ（図８（Ａ））を適用して、２値画像を多値化する。一方、文字／罫線領域の画素に対しては、ステップＴ３において、画素値０をそのまま維持し、画素値１を２５５（多階調画像の画素値の最高値）に変換する。この処理によって、文字や罫線のエッジをぼけさせることなく、２値画像を多値画像に変換することができる。
【００６７】
図１３のステップＳ４ａでは、文字／罫線領域とビットマップ／チント領域とを区別した解像度変換が行われる。図１６は、これらの２種類の領域に適用される２種類の解像度変換（低解像度化）の一例を示す説明図である。図１６（Ａ）に示す第１のタイプの低解像度化では、低解像度画素ＰＸＬに対応する複数の高解像度画素ＰＸＨの中の代表画素（黒丸を伏した画素）の画素値が、低解像度画素ＰＸＬの画素値として採用される。一方、図１６（Ｂ）に示す第２のタイプの低解像度化では、低解像度画素ＰＸＬに対応する複数の高解像度画素ＰＸＨの画素値の平均値が、低解像度画素ＰＸＬの画素値として採用される。本明細書では、第１のタイプの低解像度化方法を「代表画素法」と呼び、第２のタイプの低解像度化方法を「平均化法」と呼ぶ。代表画素法は、文字／罫線領域に適用され、平均化法はビットマップ／チント領域に適用される。図１６（Ａ）（Ｂ）を比較すれば理解できるように、代表画素法の方が平均化法よりも画像のエッジが鮮明になる傾向がある。従って、代表画素法を文字／罫線領域に適用するようにすれば、文字や罫線のエッジがぼけてしまうことをより防止することができる。この結果、検版をより精度良く行うことが可能であるという利点がある。
【００６８】
なお、このように２種類の領域を区別して解像度変換を行うかわりに、多階調画像の全体に同じ方法で解像度変換を行うようにしてもよい。また、第３実施例におけるステップＳ２０，Ｓ３ａ，Ｓ４ａの処理は、第２実施例にも適用することが可能である。すなわち、図１０のステップＳ３，Ｓ４の代わりに、図１３のステップＳ２０，Ｓ３ａ，Ｓ４ａを実行するようにしてもよい。
【００６９】
Ｅ．変形例：
なお、この発明は上記の実施例や実施形態に限られるものではなく、その要旨を逸脱しない範囲において種々の態様において実施することが可能であり、例えば次のような変形も可能である。
【００７０】
Ｅ１．変形例１：
上記各実施例では、検版対象データＲＩＰＤ２，ＲＩＰＤ３の一方が２値画像データで他方が多階調画像データであるものとしたが、両者がともに２値画像データである場合にも本発明を適用することができる。換言すれば、２つの検版対象データのうちの少なくとも一方が２値画像データである場合に本発明を適用可能である。
【００７１】
また、上記各実施例では、初校の際の異なる工程で作成された２つの検版対象データを用いて検版を行っていたが、この代わりに、同一の処理工程で作成された校正前後の２つの画像データを検版対象としても良い。例えば、校正によって網点の種類が変更されたときには、同一の処理工程（例えば網点プルーフ処理工程）で作成された２値画像データであっても、その画素値の配置は網点種類に応じてかなり異なる。このような場合に本発明を適用すれば、網点種類の差に係わらず検版を行うことが可能である。一般に、本発明は、２つの印刷物画像データであって、少なくとも一方が２値画像データであり、かつ、画素値の階調数と網点種類とのうちの少なくとも一方が互いに異なる２つの印刷物画像データを用いて行う検版に適用することが可能である。
【００７２】
Ｅ２．変形例２：
デスクリーニング処理（２値画像の多値化処理）としては、上記実施例で説明したものに限らず、種々のデスクリーニング処理を利用可能である。例えば、本出願人によって開示された特開２０００−２２４４１５号公報に記載された方法が適用可能である。
【図面の簡単な説明】
【図１】印刷製版システムの全体構成を示す説明図。
【図２】ワークフローシステムの機能的構成を示すブロック図。
【図３】第１実施例の製版工程における検版方法を示す説明図。
【図４】検版結果データに基づいて表示部４００に表示された検版結果の一例を示す説明図。
【図５】第１実施例における検版処理の手順を示すフローチャート。
【図６】検版対象の印刷物データを指定するためのユーザインターフェース画面の一例を示す説明図。
【図７】デスクリーニング処理の手順を示すフローチャート。
【図８】マスクサイズＭＳの決定方法を示す説明図。
【図９】第２実施例における検版実行部３６０ａの構成を示すブロック図。
【図１０】第２実施例における検版処理の手順を示すフローチャート。
【図１１】鮮鋭度調整の内容を示す説明図。
【図１２】第３実施例における検版実行部３６０ａの構成を示すブロック図。
【図１３】第３実施例における検版処理の手順を示すフローチャート。
【図１４】領域分離に用いる文字／罫線マスクＬＭの一例を示す説明図。
【図１５】第３実施例におけるデスクリーニング処理（分離デスクリーニング処理）の手順を示すフローチャート。
【図１６】文字／罫線領域とビットマップ／チント領域に適用される２種類の解像度変換（低解像度化）の一例を示す説明図。
【符号の説明】
１００…デザイン装置
２００…ワークフロー作成システム
３００…ワークフロー制御システム
３１０…プリフライト処理部
３２０…台割面付け処理部
３３０…自動製版処理部
３４０…網点プルーフ処理部
３５０…最終出力処理部
３６０…検版実行部
３６１…領域分離部
３６２…デスクリーニング処理部
３６４…解像度変換部
３６６…比較部
３７０…画像データ記憶部
３８０…鮮鋭度調整部
３９０…制御部
３９２…パラメータ決定部
４００…表示部
４１０…簡易プルーフ出力機
４２０…網点プルーフ出力機
４３０…プレート出力機
【図１】
2004152111.tif 000003
【図２】
2004152111.tif 000004
【図３】
2004152111.tif 000005
【図４】
2004152111.tif 000006
【図５】
2004152111.tif 000007
【図６】
2004152111.tif 000008
【図７】
2004152111.tif 000009
【図８】
2004152111.tif 000010
【図９】
2004152111.tif 000011
【図１０】
2004152111.tif 000012
【図１１】
2004152111.tif 000013
【図１２】
2004152111.tif 000014
【図１３】
2004152111.tif 000015
【図１４】
2004152111.tif 000016
【図１５】
2004152111.tif 000017
【図１６】
2004152111.tif 000018